【手続補正書】
【提出日】平成16年2月2日(2004.2.2)
【手続補正１】
【補正対象書類名】特許請求の範囲
【補正対象項目名】全文
【補正方法】変更
【補正の内容】
【特許請求の範囲】
【請求項１】
リアパネルと、
上記リアパネルの側部に折り曲げ可能に接続しており、上記リアパネルを覆って側方に内側へと延びている一対のフロントフラップと、
上記リアパネルの底部に折り曲げ可能に接続しており、上記フロントフラップを覆って上方に延びているフロントパネルと、
上記リアパネルの上部に折り曲げ可能に接続しており、閉鎖位置で上記フロントパネルを覆って下方に延びているカバーパネルと、
を含んでなる、フィルムカートリッジ、写真、ネガなどの物品のための、折りたたみおよび再閉鎖が可能な容器であって、
上記リアパネルと上記フロントフラップと上記フロントパネルとが、第１の区画を規定しており、上記フロントフラップと上記フロントパネルとが、その重なった部分の間で、上記第１の区画の前部に、第２の区画を規定しており、
上記容器が上記フロントパネルに、またはフロントパネル付近に第１のスリットを有しており、上記カバーパネルが、上記第１のスリットと解放可能に噛み合わせられ、上記容器を折りたたまれた、実質的に平坦な状態に維持させる第１のロッキングタブを有しており、
上記折りたたまれた状態では、上記フロントフラップが上記リアパネルに近接して実質的に平行であり、上記フロントパネルが上記フロントフラップに近接して実質的に平行であり、上記カバーパネルが上記フロントパネルに近接して実質的に平行であり、
サイドパネルが、上記リアパネルと上記フロントフラップとの間に配置されて、これらに折り曲げ可能に接続されており、トップパネルが上記リアパネルと上記カバーパネルとの間に配置されて、これらに折り曲げ可能に接続されており、ボトムパネルが上記リアパネルと上記フロントパネルとの間に配置され、これらに折り曲げ可能に接続されており、上記サイドパネルと上記トップパネルと上記ボトムパネルとが実質的に同じ幅であり、
上記容器が組み立てられた状態にあるとき、上記フロントフラップが上記リアパネルと実質的に平行で空間を隔てており、上記サイドパネルが上記リアパネルおよび上記フロントフラップと実質的に垂直であり、上記ボトムパネルが上記リアパネルおよび上記フロントパネルと実質的に垂直であり、上記カバーパネルが上記閉鎖位置にあるときに上記トップパネルが上記リアパネルおよび上記カバーパネルと実質的に垂直であり、
上記フロントパネルがその中に第２のスリットを有しており、上記カバーパネルが上記閉鎖位置にあり、上記容器が上記組み立てられた状態にある場合、カバーパネル上の上記第１のロッキングタブが上記第２のスリットと取り外し可能に噛み合わせられる容器。
【請求項２】
上記容器が上記折りたたまれた状態にあるとき、上記サイドパネルが上記リアパネルに近接して実質的に平行であり、上記ボトムパネルが上記フロントフラップおよび上記サイドパネルに近接して実質的に平行であり、上記トップパネルが上記フロントフラップおよび上記サイドパネルに近接して実質的に平行である請求項１に記載の容器。
【請求項３】
上記カバーパネルが上記閉鎖位置にあるとき、上記フロントフラップ、上記フロントパネルおよび上記カバーパネルが上記リアパネルと実質的に平行な関係にある請求項１に記載の容器。
【請求項４】
透明で、柔軟性および弾力性のあるプラスチック素材の単一構造で形成されている請求項１に記載の容器。
【請求項５】
リアパネルと、
上記リアパネルの側部に折り曲げ可能に接続しており、上記リアパネルを覆って側方に内側へと折り曲げられるように適合した一対のフロントフラップと、
上記リアパネルの底部に折り曲げ可能に接続しており、上記リアパネルを覆って折り曲げられたときに、上記フロントフラップを覆って上方に折り曲げられるように適合したフロントパネルと、
上記リアパネルの上部に折り曲げ可能に接続しており、フロントパネルが上記フロントフラップを覆って上方に折り曲げられたときに、閉鎖位置にくるように上記フロントパネルを覆って下方に折り曲げられるように適合したカバーパネルと、
を含んでなる、フィルムカートリッジ、写真、ネガなどの物品のための、折りたたみおよび再閉鎖が可能な容器を形成する平坦なブランクであって、
上記リアパネルを覆って折り曲げられたとき、上記リアパネルと上記フロントフラップと上記フロントパネルとが、第１の区画を規定するように適合しており、
上記フロントパネルおよび上記フロントフラップが上記リアパネルを覆って重なる関係となるように折り曲げられたとき、上記フロントフラップと上記フロントパネルとが、上記第１の区画の前部にある第２の区画を規定するように適合しており、
上記ブランクが上記フロントパネルに、またはフロントパネル付近に第１のスリットを有しており、上記第１のスリットと解放可能に噛み合って、上記容器を折りたたまれた、実質的に平坦な状態に維持させるように適合した第１のロッキングタブを、上記カバーパネルが有しており、
上記折りたたまれた状態では、上記フロントフラップが上記リアパネルに近接して実質的に平行であり、上記フロントパネルが上記フロントフラップに近接して実質的に平行であり、上記カバーパネルが上記フロントパネルに近接して実質的に平行であり、
サイドパネルが上記リアパネルと上記フロントフラップとの間に配置されて、これらに折り曲げ可能に接続されており、トップパネルが上記リアパネルと上記カバーパネルとの間に配置されて、これらに折り曲げ可能に接続されており、ボトムパネルが上記リアパネルと上記フロントパネルとの間に配置され、これらに折り曲げ可能に接続されており、上記サイドパネルと上記トップパネルと上記ボトムパネルとが実質的に同じ幅であり、
上記サイドパネル、上記ボトムパネル、および上記トップパネルが、上記リアパネルと実質的に垂直な関係にて、それぞれ、内側へ、上方へ、および下方へ折り曲げられるように適合しており、
上記フロントフラップが、上記サイドパネルと実質的に垂直の方向へ側方に内側へと折り曲げられるように適合しており、
上記フロントパネルが、上記ボトムパネルと実質的に垂直な関係となるように上方へ折り曲げられるように適合しており、
上記カバーパネルが、上記トップパネルと実質的に垂直な関係となるように下方へと折り曲げられるように適合しており、
上記フロントパネルはその中に第２のスリットを有しており、上記フロントパネルおよび上記カバーパネルが上記リアパネルを覆って折り曲げられるとき、上記カバーパネルの上記第１のロッキングタブが、上記第２のスリットと取り外し可能なロッキング噛み合わせをするように適合しているブランク。
【請求項６】
上記リアパネル、上記トップパネル、上記サイドパネル、上記ボトムパネル、上記フロントフラップ、上記フロントパネル、および上記カバーパネルが、折り曲げ線にて折り曲げ可能に接続している請求項５に記載のブランク。
【請求項７】
上記サイドパネルと上記フロントフラップとの間に折り曲げ線が配され、上記折り曲げ線がこの中に第３のスリットを有し、上記フロントパネルがその側部に第２のロッキングタブを有し、上記フロントフラップおよびフロントパネルが上記リアパネルを覆って内側に折り曲げられたときに、上記第２のロッキングタブが上記第１のスリットと取り外し可能にロッキング噛み合わせをするように適合している請求項５に記載のブランク。
【請求項８】
透明で、柔軟性および弾力性のあるプラスチック素材の単一構造で形成されている請求項５に記載のブランク。
【請求項９】
リアパネルと、
上記リアパネルの側部に折り曲げ可能に接続しており、上記リアパネルを覆って側方に内側へと延びている一対のフロントフラップと、
上記リアパネルの底部に折り曲げ可能に接続しており、上記フロントフラップを覆って上方に延びているフロントパネルと、
上記リアパネルの上部に折り曲げ可能に接続しており、閉鎖位置で上記フロントパネルを覆って下方に延びているカバーパネルと、
を含んでなる、フィルムカートリッジ、写真、ネガなどの物品のための、折りたたみおよび再閉鎖が可能な容器であって、
上記リアパネルと上記フロントフラップと上記フロントパネルとが、第１の区画を規定しており、上記フロントフラップと上記フロントパネルとが、その重なった部分の間で、上記第１の区画の前部に、第２の区画を規定しており、
上記容器が上記フロントパネルに、またはフロントパネル付近に第１のスリットを有しており、上記カバーパネルが、上記第１のスリットと解放可能に噛み合わせられ、上記容器を折りたたまれた、実質的に平坦な状態に維持させる第１のロッキングタブを有しており、
上記折りたたまれた状態では、上記フロントフラップが上記リアパネルに近接して実質的に平行であり、上記フロントパネルが上記フロントフラップに近接して実質的に平行であり、上記カバーパネルが上記フロントパネルに近接して実質的に平行であり、
サイドパネルが上記リアパネルと上記フロントフラップとの間に配置されて、これらに折り曲げ可能に接続されており、トップパネルが上記リアパネルと上記カバーパネルとの間に配置されて、これらに折り曲げ可能に接続されており、ボトムパネルが上記リアパネルと上記フロントパネルとの間に配置され、これらに折り曲げ可能に接続されており、上記サイドパネルと上記トップパネルと上記ボトムパネルとが実質的に同じ幅であり、
上記容器が組み立てられた状態にあるとき、上記フロントフラップが上記リアパネルと実質的に平行で空間を隔てており、上記サイドパネルが上記リアパネルおよび上記フロントフラップと実質的に垂直であり、上記ボトムパネルが上記リアパネルおよび上記フロントパネルと実質的に垂直であり、上記カバーパネルが上記閉鎖位置にあるときに上記トップパネルが上記リアパネルおよび上記カバーパネルと実質的に垂直あり、
上記サイドパネルと上記フロントフラップとの間に折り曲げ線が配され、上記折り曲げ線がこの中に第２のスリットを有し、上記フロントパネルがその側部に第２のロッキングタブを有し、上記容器が上記組み立てられた状態にあるときに、上記第２のロッキングタブが上記第２のスリットと取り外し可能にロッキング噛み合わせをする容器。